(57)【要約】【課題】裏返しても使用できるジョイントマット１６の提供。【解決手段】このジョイントマット１６は、同一の他のジョイントマット１６と繋げられられて敷き詰められるように構成されており、平面形状が正方形である本体１８と、本体１８に設けられ他のジョイントマット１６と係合しうる複数の凸部２０と、これらの凸部２０により形成され他のジョイントマット１６と係合しうる複数の凹部２２とを備える。凸部２０は、本体１８の辺２６に配置されるメイン凸部２０ｊと、本体１８の角２８に配置されるコーナー凸部２０ｋとを含む。凹部２２は、本体１８の辺２６に配置されるメイン凹部２２ｊと、本体１８の角２８に配置されるコーナー凹部２２ｋとを含む。このメイン凸部２０ｊの形状は、このメイン凹部２２ｊの形状と同じである。このジョイントマット１６の平面形状は、この本体１８の１つの対角線に対して対称とされている。【選択図】図１
0003137684.tif 000002
【実用新案登録請求の範囲】
【請求項１】
同一の他のジョイントマットと繋げられて敷き詰められるように構成されており、
その平面形状が正方形である本体と、この本体に設けられており他のジョイントマットと係合しうる複数の凸部と、これらの凸部により形成されており他のジョイントマットと係合しうる複数の凹部とを備えており、
これらの凸部が、この本体の辺に配置されるメイン凸部と、この本体の角に配置されるコーナー凸部とを含んでおり、
これらの凹部が、この本体の辺に配置されるメイン凹部と、この本体の角に配置されるコーナー凹部とを含んでおり、
このメイン凸部の形状とこのメイン凹部の形状とが、同じであり、
このジョイントマットの平面形状が、この本体の１つの対角線に対して対称とされているジョイントマット。
【請求項２】
上記コーナー凸部が、上記対角線上の一方の角に位置しておりこの対角線に対して対称とされている対称凸部と、この対角線が通過しない２つの角に位置している非対称凸部とから構成されており、
上記コーナー凹部が、上記対角線上の他方の角に位置しておりこの対角線に対して対称とされている対称凹部を含んでおり、
同一の４枚のジョイントマットが繋げられて敷き詰められた場合に、第一のジョイントマットの対称凸部に、第二のジョイントマットの非対称凸部と第四のジョイントマットの非対称凸部とが面接触し、且つ、この第二のジョイントマットの非対称凸部がこの第四のジョイントマットの非対称凸部に面接触し、且つ、この第二のジョイントマットの非対称凸部とこの第四のジョイントマットの非対称凸部とが第三のジョイントマットの対称凹部に嵌められるように構成されている請求項１に記載のジョイントマット。
【考案の詳細な説明】
【技術分野】
【０００１】
本考案は、ジョイントマットに関する。詳細には、本考案は、床の上等にて同一の他のジョイントマットと繋げられて敷き詰められうるジョイントマットに関する。
【背景技術】
【０００２】
幼児の遊び場等においては、転倒時の衝撃を吸収する目的で、弾力性を有するジョイントマットが床の上等に敷かれる場合がある。このジョイントマットは、同一の他のジョイントマットと繋げられて敷き詰められるように構成されている。繋げられるジョイントマットの枚数及び組み合わせを調整することにより、床の上等に敷き詰められるジョイントマットの大きさ及び平面形状が適切に変えられる。
【０００３】
図４は、従来のジョイントマット２が示された平面図である。この図４には、このジョイントマット２の表面が示されている。このジョイントマット２は、本体４と、２４個の凸部６と、これらの凸部６により形成される２４個の凹部８とを備えている。
【０００４】
本体４は、矩形のプレートである。この本体４の平面形状は、正方形である。図４において、この本体４の縁１０が二点鎖線で示されている。この本体４の縁１０は、４つの辺１２と４つの角１４とから構成されている。なお、図４の一点鎖線ＤＬは、この本体４の１つの対角線を表している。
【０００５】
凸部６は、本体４の縁１０に設けられている。この凸部６は、この縁１０から外側に向かって突出している。この凸部６は、この縁１０を構成する辺１２に配置されるメイン凸部６ｘと、この縁１０を構成する角１４に配置されるコーナー凸部６ｙとを含んでいる。
【０００６】
凹部８は、本体４の縁１０に設けられている。この凹部８は、外側からこの縁１０に向かって凹んでいる。図示されているように、この凹部８は一の凸部６とこの一の凸部６の隣に位置する他の凸部６との間に形成されている。この凹部８は、この縁１０の辺１２に配置されるメイン凹部８ｘと、この縁１０の角１４に配置されるコーナー凹部８ｙとを含んでいる。
【０００７】
このジョイントマット２では、一の辺１２に、５個のメイン凸部６ｘと５個のメイン凹部８ｘとが配置されている。このジョイントマット２では、この一の辺１２に設けられるメイン凸部６ｘの数とメイン凹部８ｘの数とは同じである。このジョイントマット２では、このメイン凸部６ｘの形状はこのメイン凹部８ｘとの形状と同じである。
【０００８】
図５は、図４のジョイントマット２の使用状況の一例が示された平面図である。この図５には、４枚のジョイントマット２が繋げられている状態が示されている。この図５に示されているように、一のジョイントマット２のメイン凸部６ｘは、このジョイントマット２の隣に位置する他のジョイントマット２のメイン凹部８ｘに嵌められる。この一のジョイントマット２のメイン凹部８ｘに、この他のジョイントマット２のメイン凸部６ｘが嵌められる。この一のジョイントマット２のコーナー凸部６ｙは、この他のジョイントマット２のコーナー凹部８ｙに嵌められる。この一のジョイントマット２のコーナー凹部８ｙに、この他のジョイントマット２のコーナー凸部６ｙが嵌められる。このようにして、この一のジョイントマット２の凸部６が他のジョイントマット２の凹部８に係合されて、この一のジョイントマット２の凹部８に他のジョイントマット２の凸部６が係合される。
【考案の開示】
【考案が解決しようとする課題】
【０００９】
床の上等に敷かれたジョイントマットでは、その表面に汚れ及び疵が生じる場合がある。この汚れ及び疵は、ジョイントマットの美観を損ねる。
【００１０】
図４に示されているように、従来のジョイントマット２の平面形状は対角線ＤＬに対して対称ではない。この平面形状は、この対角線ＤＬとは別の対角線（図示されず）に対しても対称ではない。
【００１１】
図６は、図４のジョイントマット２の裏面が示された背面図である。この図６には、図４のジョイントマット２を対角線ＤＬを中心に反転させた状態が示されている。前述したように、このジョイントマット２の平面形状は対角線ＤＬに対して対称ではない。このため、図４では左辺１２の上側に位置する角１４にコーナー凸部６ｙが配置されるのに対し、この図６ではこの左辺１２の上側に位置する角１４にはコーナー凹部８ｙが配置されている。このジョイントマット２では、表側に向けられた裏面の平面形状と表面の平面形状とは異なる。このため、図５のように繋げられたジョイントマット２において、一のジョイントマット２を取り外し裏返すと、この一のジョイントマット２が他のジョイントマット２に繋げられなくなってしまう。このジョイントマット２に汚れ及び疵が生じると、このジョイントマット２を別の新しいジョイントマット２に交換しなければならない。このジョイントマット２にかかる維持管理コストは大きい。
【００１２】
本考案の目的は、裏返しても使用されうるジョイントマットの提供にある。
【課題を解決するための手段】
【００１３】
本考案に係るジョイントマットは、同一の他のジョイントマットと繋げられて敷き詰められるように構成されており、その平面形状が正方形である本体と、この本体に設けられており他のジョイントマットと係合しうる複数の凸部と、これらの凸部により形成されており他のジョイントマットと係合しうる複数の凹部とを備えている。これらの凸部は、この本体の辺に配置されるメイン凸部と、この本体の角に配置されるコーナー凸部とを含んでいる。これらの凹部は、この本体の辺に配置されるメイン凹部と、この本体の角に配置されるコーナー凹部とを含んでいる。このメイン凸部の形状とこのメイン凹部の形状とは、同じである。このジョイントマットの平面形状は、この本体の１つの対角線に対して対称とされている。
【００１４】
好ましくは、このジョイントマットでは、上記コーナー凸部は、上記対角線上の一方の角に位置しておりこの対角線に対して対称とされている対称凸部と、この対角線が通過しない２つの角に位置している非対称凸部とから構成されている。上記コーナー凹部は、上記対角線上の他方の角に位置しておりこの対角線に対して対称とされている対称凹部を含んでいる。同一の４枚のジョイントマットが繋げられて敷き詰められた場合に、第一のジョイントマットの対称凸部に、第二のジョイントマットの非対称凸部と第四のジョイントマットの非対称凸部とが面接触し、且つ、この第二のジョイントマットの非対称凸部がこの第四のジョイントマットの非対称凸部に面接触し、且つ、この第二のジョイントマットの非対称凸部とこの第四のジョイントマットの非対称凸部とが第三のジョイントマットの対称凹部に嵌められるように構成されている。
【考案の効果】
【００１５】
このジョイントマットは、本体の縁に設けられる凸部が他のジョイントマットの凹部に係合しうるように構成されている。ジョイントマットが繋げられて敷き詰められた場合に、繋げられている２枚のジョイントマットを互いに引き離そうとしても、これらのジョイントマットを引き離すことはできない。このジョイントマットでは、めくれは生じにくい。このジョイントマットが敷き詰められた状態が、安定に維持されうる。このジョイントマットでは、その平面形状が本体の１つの対角線に対して対称とされている。このため、表側に向けられた裏面の平面形状は表面の平面形状と同じである。このジョイントマットは、その裏面を表側に向けても他のジョイントマットに繋げられうる。複数枚のジョイントマットが繋げられて床の上等に敷き詰められている場合に、一のジョイントマットの表面に汚れ及び疵が生じても、この一のジョイントマットを裏返してこの一のジョイントマットが使用されうる。このジョイントマットは、このジョイントマットが敷き詰められた施設等の維持管理コストの低減に寄与しうる。
【考案を実施するための最良の形態】
【００１６】
以下、適宜図面が参照されつつ、好ましい実施形態に基づいて本考案が詳細に説明される。
【００１７】
図１は、本考案の一実施形態に係るジョイントマット１６が示された平面図である。この図１には、このジョイントマット１６の表面が示されている。このジョイントマット１６は、本体１８と、複数の凸部２０と、複数の凹部２２とを備えている。図示されているように、一の凸部２０とこの一の凸部２０の隣に位置する他の凸部２０との間が、凹部２２である。この凹部２２は、これらの凸部２０により形成されている。この図１に示されているジョイントマット１６では、この凸部２０の数は２５個であり、この凹部２２の数は２５個である。
【００１８】
本体１８は、矩形のプレートである。この本体１８の平面形状は、正方形である。図１において、この本体１８の縁２４が二点鎖線で示されている。この縁２４は、４つの辺２６と４つの角２８とから構成されている。図４中、一点鎖線ＤＬはこの本体１８の１つの対角線を表している。この明細書では、この本体１８の左側に位置する辺２６が第一の辺２６ｅであり、その下側に位置する辺２６が第二の辺２６ｆであり、その右側に位置する辺２６が第三の辺２６ｇであり、その上側に位置する辺２６が第四の辺２６ｈである。さらに、この明細書では、この対角線ＤＬが通過する一方の角２８が第一の角２８ａであり、この第一の角２８ａの下側に位置する角２８が第二の角２８ｂであり、この第二の角２８ｂの右側に位置しておりこの対角線ＤＬが通過する他方の角２８が第三の角２８ｃであり、この第三の角２８ｃの上側に位置する角２８が第四の角２８ｄである。この第二の角２８ｂ及び第四の角２８ｄは、この対角線ＤＬが通過しない角２８である。
【００１９】
凸部２０は、本体１８の縁２４に設けられている。この凸部２０は、この縁２４から外側に向かって突出している。この凸部２０は、メイン凸部２０ｊと、コーナー凸部２０ｋとを含んでいる。このメイン凸部２０ｊは、この縁２４を構成する辺２６に配置されている。このメイン凸部２０ｊは、この縁２４の側においてその幅が狭く、外側においてその幅が広くなるように構成されている。図示されているように、このジョイントマット１６では、このメイン凸部２０ｊの数は２２個である。
【００２０】
コーナー凸部２０ｋは、本体１８の縁２４を構成する角２８に配置されている。このコーナー凸部２０ｋの数は、３個である。これらのコーナー凸部２０ｋは、この本体１８の２本の対角線のうちのいずれかの対角線が通る位置又は、この本体１８の２本の対角線のうちのいずれかの対角線に接する位置にある。このジョイントマット１６では、このコーナー凸部２０ｋは、１つの対称凸部２０ｋｍと、２つの非対称凸部２０ｋｎとから構成されている。このジョイントマット１６では、この対称凸部２０ｋｍは対角線ＤＬが通る角２８ａに位置している。この対称凸部２０ｋｍの平面形状は、この対角線ＤＬに対して対称とされている。この対称凸部２０ｋｍは、本体１８の側においてその幅が狭く、外側においてその幅が広くなるように構成されている。
【００２１】
一方の非対称凸部２０ｋｎは、角２８ｂに位置している。他方の非対称凸部２０ｋｎは、角２８ｄに位置している。これらの非対称凸部２０ｋｎは、対角線ＤＬが通過しない２つの角２８ｂ、２８ｄに位置している。これらの非対称凸部２０ｋｎは、対角線ＤＬとは別の対角線（図示されず）に接する位置にある。この非対称凸部２０ｋｎは、本体１８の側においてその幅が狭く、外側においてその幅が広くなるように構成されている。この非対称凸部２０ｋｎの平面形状は、対角線に対して対称とされていない。このジョイントマット１６では、この他方の非対称凸部２０ｋｎは、一方の非対称凸部２０ｋｎの平面形状と同じ平面形状を有している。この一方の非対称凸部２０ｋｎと他方の非対称凸部２０ｋｎとは、対角線ＤＬに対して対称とされている。
【００２２】
凹部２２は、本体１８の縁２４に設けられている。この凹部２２は、外側からこの縁２４に向かって凹んでいる。図示されているように、この凹部２２は一の凸部２０とこの一の凸部２０の隣に位置する他の凸部２０との間に挟まれている。この凹部２２は、メイン凹部２２ｊと、コーナー凹部２２ｋとを含んでいる。このメイン凹部２２ｊは、この縁２４を構成する辺２６に配置されている。このメイン凹部２２ｊは、この縁２４の側においてその幅が広く、外側においてその幅が狭くなるように構成されている。このメイン凹部２２ｊの平面形状は、メイン凸部２０ｊの平面形状と同じである。このジョイントマット１６は、このメイン凹部２２ｊにメイン凸部２０ｊが嵌められるように構成されている。図示されているように、このジョイントマット１６では、このメイン凹部２２ｊの数は２２個である。
【００２３】
コーナー凹部２２ｋは、本体１８の角２８に配置されている。このコーナー凹部２２ｋの数は３個である。これらのコーナー凹部２２ｋは、この本体１８の２本の対角線のうちのいずれかの対角線が通る位置又は、この本体１８の２本の対角線のうちのいずれかの対角線に接する位置にある。このコーナー凹部２２ｋは、１つの対称凹部２２ｋｍと、２つの非対称凹部２２ｋｎとから構成されている。この対称凹部２２ｋｍは、対角線ＤＬが通る角２８ｃに位置している。図示されているように、この対称凹部２２ｋｍは、辺２６ｆのメイン凸部２０ｊと辺２６ｇのメイン凸部２０ｊとの間に位置しており、両メイン凸部２０ｊの間に位置するこの本体１８の縁２４に沿っている。この対称凹部２２ｋｍの平面形状は、この対角線ＤＬに対して対称とされている。このジョイントマット１６は、この対称凹部２２ｋｍに他のジョイントマット１６の非対称凸部２０ｋｎが嵌められるように構成されている。
【００２４】
一方の非対称凹部２２ｋｎは、角２８ｂに位置している。他方の非対称凹部２２ｋｎは、角２８ｄに位置している。これらの非対称凹部２２ｋｎは、対角線ＤＬが通過しない２の角２８ｂ、ｄに位置している。これらの非対称凹部２２ｋｎは、対角線ＤＬとは別の対角線（図示されず）に接する位置にある。この一方の非対称凹部２２ｋｎは、メイン凸部２０ｊと一方の非対称凸部２０ｋｎとの間に位置している。この他方の非対称凸部２０ｋｎは、メイン凸部２０ｊと他方の非対称凸部２０ｋｎとの間に位置している。この非対称凹部２２ｋｎの平面形状は、対角線に対して対称とされていない。このジョイントマット１６では、この他方の非対称凹部２２ｋｎは、一方の非対称凹部２２ｋｎの平面形状と同じ平面形状を有している。この一方の非対称凹部２２ｋｎの平面形状と他方の非対称凹部２２ｋｎの平面形状とは、対角線ＤＬに対して対称とされている。このジョイントマット１６は、この非対称凹部２２ｋｎに他のジョイントマット１６の対称凸部２０ｋｍの一部が嵌められるように構成されている。
【００２５】
このジョイントマット１６では、辺２６ｅには、６個のメイン凹部２２ｊと５個のメイン凸部２０ｊとが設けられている。この辺２６ｅでは、メイン凸部２０ｊの数はメイン凹部２２ｊの数よりも１少ない。このメイン凹部２２ｊとこのメイン凸部２０ｊとは、交互に配置されている。図示されているように、対称凸部２０ｋｍの第二の角２８ｂの側及び一方の非対称凸部２０ｋｎの第一の角２８ａの側に、このメイン凹部２２ｊが位置している。この対称凸部２０ｋｍとこの非対称凸部２０ｋｎとの間は、メイン凸部２０ｊとメイン凹部２２ｊとで占められている。
【００２６】
このジョイントマット１６では、辺２６ｈには、６個のメイン凹部２２ｊと５個のメイン凸部２０ｊとが設けられている。この辺２６ｈでは、メイン凸部２０ｊの数はメイン凹部２２ｊの数よりも１少ない。このメイン凹部２２ｊとこのメイン凸部２０ｊとは、交互に配置されている。図示されているように、対称凸部２０ｋｍの角２８ｄの側及び他方の非対称凸部２０ｋｎの角２８ａの側に、このメイン凹部２２ｊが位置している。この対称凸部２０ｋｍとこの非対称凸部２０ｋｎとの間は、メイン凸部２０ｊとメイン凹部２２ｊとで占められている。このジョイントマット１６では、この辺２６ｈに設けられる凸部２０及び凹部２２の構成と、辺２６ｅに設けられる凸部２０及び凹部２２の構成とは同じである。
【００２７】
このジョイントマット１６では、辺２６ｆには、６個のメイン凸部２０ｊと５個のメイン凹部２２ｊとが設けられている。この辺２６ｆでは、メイン凹部２２ｊの数がメイン凸部２０ｊの数よりも１少ない。このメイン凸部２０ｊとこのメイン凹部２２ｊとは、交互に配置されている。図示されているように、対称凹部２２ｋｍの角２８ｂの側及び一方の非対称凹部２２ｋｎの角２８ｃの側に、メイン凸部２０ｊが位置している。この対称凹部２２ｋｍとこの非対称凹部２２ｋｎとの間は、メイン凸部２０ｊとメイン凹部２２ｊとで占められている。このジョイントマット１６では、この辺２６ｆのメイン凸部２０ｊの数は辺２６ｈに設けられているメイン凹部２２ｊの数と同じである。この辺２６ｆのメイン凹部２２ｊの数は、辺２６ｈのメイン凸部２０ｊの数と同じである。
【００２８】
このジョイントマット１６では、辺２６ｇには、６個のメイン凸部２０ｊと５個のメイン凹部２２ｊとが設けられている。この辺２６ｇでは、メイン凹部２２ｊの数がメイン凸部２０ｊの数よりも１少ない。このメイン凸部２０ｊとこのメイン凹部２２ｊとは、交互に配置されている。図示されているように、対称凹部２２ｋｍの角２８ｄの側及び他方の非対称凹部２２ｋｎの角２８ｃの側に、メイン凸部２０ｊが位置している。この対称凹部２２ｋｍとこの非対称凹部２２ｋｎとの間は、メイン凸部２０ｊとメイン凹部２２ｊとで占められている。このジョイントマット１６では、この辺２６ｇのメイン凸部２０ｊの数は辺２６ｅに設けられているメイン凹部２２ｊの数と同じである。この辺２６ｇのメイン凹部２２ｊの数は、辺２６ｅのメイン凸部２０ｊの数と同じである。このジョイントマット１６では、この辺２６ｇに設けられる凸部２０及び凹部２２の構成と、辺２６ｆに設けられる凸部２０及び凹部２２の構成は同じである。
【００２９】
前述したように、このジョイントマット１６では、本体１８の平面形状が正方形であり、辺２６ｅに設けられる凸部２０及び凹部２２の構成と辺２６ｈに設けられる凸部２０及び凹部２２の構成とが同じであり、辺２６ｆに設けられる凸部２０及び凹部２２の構成とこの辺２６ｇに設けられる凸部２０及び凹部２２の構成とが同じである。このジョイントマット１６の平面形状は、対角線ＤＬに対して対称であり、この対角線ＤＬとは別の対角線（図示されず）に対して非対称である。言い換えると、このジョイントマット１６の平面形状は、この本体１８の２本の対角線のうち一方の対角線に対して対称であり、他方の対角線に対して非対称である。
【００３０】
図２は、図１のジョイントマット１６の使用状況の一例が示された平面図である。この図２には、４枚のジョイントマット１６が繋げられて敷き詰められている状態が示されている。この明細書では、この図２の右下側に位置するジョイントマット１６が第一のジョイントマット１６ｒであり、この第一のジョイントマット１６ｒの左側に位置するジョイントマット１６が第二のジョイントマット１６ｓであり、この第二のジョイントマット１６ｓの上側に位置するジョイントマット１６が第三のジョイントマット１６ｔであり、この第三のジョイントマット１６ｔの右側に位置するジョイントマット１６が第四のジョイントマット１６ｕである。
【００３１】
このジョイントマット１６では、メイン凸部２０ｊの平面形状はメイン凹部２２ｊの平面形状と同じである。図２に示されているように、ジョイントマット１６ｒの辺２６ｅに設けられている６個のメイン凹部２２ｊに、ジョイントマット１６ｓの辺２６ｇに設けられている６個のメイン凸部２０ｊが嵌められている。この辺２６ｅに設けられている５個のメイン凸部２０ｊが、辺２６ｇに設けられている５個のメイン凹部２２ｊに嵌められている。このジョイントマット１６ｒの対称凸部２０ｋｍの一部が、このジョイントマット１６ｓの他方の非対称凹部２２ｋｎに嵌められている。このジョイントマット１６ｒの一方の非対称凸部２０ｋｎが、このジョイントマット１６ｓの対称凹部２２ｋｍに嵌められている。このようにして、このジョイントマット１６ｒの凸部２０がこの第二のジョイントマット１６ｓの凹部２２に係合し、このジョイントマット１６ｒの凹部２２にこの第二のジョイントマット１６ｓの凸部２０が係合しうる。このジョイントマット１６ｓの凸部２０がこの第一のジョイントマット１６ｒの凹部２２に係合し、このジョイントマット１６ｓの凹部２２にこのジョイントマット１６ｒの凸部２０が係合しうる。一のジョイントマット１６の凹部２２と他のジョイントマット１６の凸部２０とは、互いに引き離すことができるように係合していてもよいし、互いに引き離すことができないように係合していてもよい。
【００３２】
このジョイントマット１６では、ジョイントマット１６ｓの辺２６ｈに設けられている６個のメイン凹部２２ｊに、ジョイントマット１６ｔの辺２６ｆに設けられている６個のメイン凸部２０ｊが嵌められている。この辺２６ｈに設けられている５個のメイン凸部２０ｊが、辺２６ｆに設けられている５個のメイン凹部２２ｊに嵌められている。このジョイントマット１６ｓの対称凸部２０ｋｍの一部が、このジョイントマット１６ｔの一方の非対称凹部２２ｋｎに嵌められている。このジョイントマット１６ｓの他方の非対称凸部２０ｋｎが、このジョイントマット１６ｔの対称凹部２２ｋｍに嵌められている。このようにして、このジョイントマット１６ｓの凸部２０がこの第三のジョイントマット１６ｔの凹部２２に係合し、このジョイントマット１６ｓの凹部２２にこのジョイントマット１６ｔの凸部２０が係合しうる。このジョイントマット１６ｔの凸部２０がこのジョイントマット１６ｓの凹部２２に係合し、このジョイントマット１６ｔの凹部２２にこの第二のジョイントマット１６ｓの凸部２０が係合しうる。
【００３３】
このジョイントマット１６では、ジョイントマット１６ｔの辺２６ｇに設けられている５個のメイン凹部２２ｊに、ジョイントマット１６ｕの辺２６ｅに設けられている５個のメイン凸部２０ｊが嵌められている。この辺２６ｇに設けられている６個のメイン凸部２０ｊが、辺２６ｅに設けられている６個のメイン凹部２２ｊに嵌められている。このジョイントマット１６ｔの他方の非対称凹部２２ｋｎに、このジョイントマット１６ｕの対称凸部２０ｋｍの一部が嵌められている。このジョイントマット１６ｔの対称凹部２２ｋｍに、このジョイントマット１６ｓの一方の非対称凸部２０ｋｎが嵌められている。このようにして、このジョイントマット１６ｔの凸部２０がこのジョイントマット１６ｕの凹部２２に係合し、このジョイントマット１６ｔの凹部２２にこのジョイントマット１６ｕの凸部２０が係合しうる。このジョイントマット１６ｕの凸部２０がこのジョイントマット１６ｔの凹部２２に係合し、このジョイントマット１６ｕの凹部２２にこのジョイントマット１６ｔの凸部２０が係合しうる。
【００３４】
このジョイントマット１６では、ジョイントマット１６ｕの辺２６ｆに設けられている５個のメイン凹部２２ｊに、ジョイントマット１６ｒの辺２６ｈに設けられている５個のメイン凸部２０ｊが嵌められている。この辺２６ｆに設けられている６個のメイン凸部２０ｊが、辺２６ｈに設けられている６個のメイン凹部２２ｊに嵌められている。このジョイントマット１６ｕの一方の非対称凹部２２ｋｎに、このジョイントマット１６ｒの対称凸部２０ｋｍの一部が嵌められている。このジョイントマット１６ｕの対称凹部２２ｋｍに、このジョイントマット１６ｒの他方の非対称凸部２０ｋｎが嵌められている。このようにして、このジョイントマット１６ｕの凸部２０がこのジョイントマット１６ｒの凹部２２に係合し、このジョイントマット１６ｕの凹部２２にジョイントマット１６ｒの凸部２０が係合しうる。このジョイントマット１６ｒの凸部２０がこのジョイントマット１６ｕの凹部２２に係合し、このジョイントマット１６ｒの凹部２２にこのジョイントマット１６ｕの凸部２０が係合しうる。
【００３５】
前述したように、このジョイントマット１６では、凸部２０が本体１８の側においてその幅が狭く、外側においてその幅が広くなるように構成されており、凹部２２が本体１８の側においてその幅が広く、外側においてその幅が狭くなるように構成されている。このような凹部２２に係合された凸部２０がこの凹部２２から抜けるのは、容易ではない。このジョイントマット１６では、一のジョイントマット１６の凹部２２に他のジョイントマット１６の凸部２０が係合されて、一のジョイントマット１６の凸部２０が他のジョイントマット１６の凹部２２に係合されているので、繋げられているジョイントマット１６同士を引き離そうとしても、これらのジョイントマット１６を引き離すことはできない。このジョイントマット１６では、めくれも生じにくい。このジョイントマット１６では、ジョイントマット１６が敷き詰められている状態が、安定に維持されるうる。
【００３６】
図示されているように、一のジョイントマット１６が他のジョイントマット１６と繋げられる場合、この一のジョイントマット１６の側面３０と他のジョイントマット１６の側面３０とが接触する。換言すれば、一のジョイントマット１６は、他のジョイントマット１６と接触する接触面を有している。このジョイントマット１６では、第一の角２８ａに位置する対称凸部２０ｋｍが、第一接触面３２を備えている。この第一接触面３２は、この対角線ＤＬに対して垂直な平面である。この第一接触面３２の中心を、この対角線ＤＬが通過する。第二の角２８ｂに位置する一方の非対称凸部２０ｋｎは、第二の角２８ｂから外側に向かって延在する第二接触面３４と、この第二接触面３４からさらに外側に向かって延在する第三接触面３６とを備えている。このジョイントマット１６では、この第二接触面３４は、その延在方向が対角線ＤＬの延在方向に対して垂直である平面である。この第三接触面３６は、その延在方向が第二接触面３４の延在方向に対して垂直である平面である。前述したように、このジョイントマット１６では、この他方の非対称凸部２０ｋｎは、一方の非対称凸部２０ｋｎの平面形状と同じ平面形状を有している。したがって、この他方の非対称凸部２０ｋｎも、第二接触面３４と、第三接触面３６とを備えている。
【００３７】
図２において、４枚のジョイントマット１６の隅が付き合わされた部分では、ジョイントマット１６ｒの対称凸部２０ｋｍの一部がジョイントマット１６ｓの他方の非対称凹部２２ｋｎに嵌められる。この対称凸部２０ｋｍの残りの部分は、ジョイントマット１６ｕの一方の非対称凹部２２ｋｎに嵌められる。ジョイントマット１６ｓの非対称凸部２０ｋｎとジョイントマット１６ｕの非対称凸部２０ｋｎとが、ジョイントマット１６ｔの対称凹部２２ｋｍに嵌められる。この部分には、対称凸部２０ｋｍ及び非対称凸部２０ｋｎからなるコーナー凸部２０ｋ並びに対称凹部２２ｋｍ及び非対称凹部２２ｋｎからなるコーナー凹部２２ｋが位置している。このコーナー凸部２０ｋ及びコーナー凹部２２ｋは、ジョイントマット１６の接触面の増大に寄与しうる。このジョイントマット１６では、このコーナー凸部２０ｋ及びコーナー凹部２２ｋが設けられていないマットに比べて、一のジョイントマット１６と同じ他のジョイントマット１６とが接触する面積は大きい。大きな接触面積は、このジョイントマット１６のめくれを抑制しうる。このジョイントマット１６では、めくれが生じにくい。
【００３８】
図２に示されているように、４枚のジョイントマット１６の隅が付き合わせられた部分では、それぞれのジョイントマット１６が接触している面には、折れ曲がりが形成されている。この折れ曲がりは、接触面積の増大に寄与しうる。大きな接触面積は、大きな摩擦抵抗に寄与しうる。このため、このジョイントマット１６では、めくれが効果的に抑制されうる。
【００３９】
図２において、ジョイントマット１６ｒの対称凸部２０ｋｍに、ジョイントマット１６ｓの非対称凸部２０ｋｎとジョイントマット１６ｕの非対称凸部２０ｋｎとが面接触している。この対称凸部２０ｋｍの第一接触面３２に、これらの非対称凸部２０ｋｎの第二接触面３４が接触している。ジョイントマット１６ｓの非対称凸部２０ｋｎは、ジョイントマット１６ｕの非対称凸部２０ｋｎに面接触している。このジョイントマット１６ｓの非対称凸部２０ｋｎの第三接触面３６と、このジョイントマット１６ｕの非対称凸部２０ｋｎの第三接触面３６とが接触している。ジョイントマット１６ｓの非対称凸部２０ｋｎは、ジョイントマット１６ｕの非対称凸部２０ｋｎに面接触している。このジョイントマット１６ｓの非対称凸部２０ｋｎの第三接触面３６と、このジョイントマット１６ｕの非対称凸部２０ｋｎの第三接触面３６とが接触している。このジョイントマット１６では、この第一接触面３２、第二接触面３４及び第二接触面３４が存在しているので、角部におけるジョイントマット１６同士が接触する面積は大きい。大きな接触面積は、このジョイントマット１６のめくれを抑制しうる。このジョイントマット１６では、めくれが生じにくい。
【００４０】
図３は、図１のジョイントマット１６の裏面が示された背面図である。この図３には、図１のジョイントマット１６を対角線ＤＬを中心に反転させた状態が示されている。前述したように、このジョイントマット１６では、その平面形状は対角線ＤＬに対して対称とされている。このため、表側に向けられたこの裏面の平面形状は、図１に示されたこのジョイントマット１６の表面の平面形状と同じである。このジョイントマット１６は、その裏面を表側に向けても他のジョイントマット１６に繋げられうる。このジョイントマット１６では、その両面が使用されうる。複数枚のジョイントマット１６が繋げられて床の上等に敷き詰められている状態において、一のジョイントマット１６の表面に汚れ及び疵が生じた場合、この一のジョイントマット１６を裏返してこの一のジョイントマット１６が使用されうる。このジョイントマット１６は、このジョイントマット１６が敷き詰められた施設等の維持管理コストの低減に寄与しうる。
【００４１】
前述したように、このジョイントマット１６では、第一接触面３２は対角線ＤＬに対して垂直に交差している。この第一接触面３２は、この対角線ＤＬに対して左右対称とされている。この第一接触面３２は、ジョイントマット１６の対称性の発現に寄与している。この第一接触面３２が設けられたジョイントマット１６では、角部の稜を構成する２つの面がなす角度は９０°以上である。このジョイントマット１６の角部に厚さ方向の力が加えられたとき、この角度が９０°以下である稜を有する角部に比べて、この角部の変形は小さい。この第一接触面３２は、角部のめくれにくさに寄与しうる。
【００４２】
このジョイントマット１６では、例えば、辺２６ｈの部分におけるこのジョイントマット１６の輪郭が、この輪郭を構成する凸部２０の先端と辺２６ｆとが一致するように移動されて、この辺２６ｆに設けられる凸部２０及び凹部２２の構成が決められる。辺２６ｈの部分におけるこのジョイントマット１６の輪郭が、対角線ＤＬに対して対称に配置されることにより、辺２６ｅに設けられる凸部２０及び凹部２２の構成が決められる。こうして決められた辺２６ｅの部分におけるこのジョイントマット１６の輪郭が、この輪郭を構成する凸部２０の先端と辺２６ｇとが一致するように移動されて、この辺２６ｇに設けられる凸部２０及び凹部２２の構成が決められる。このようにして凸部２０及び凹部２２の構成が決められたジョイントマット１６は、表面の平面形状と、表側に向けた裏面の平面形状が同じになるので、その両面を使用することができる。
【００４３】
このジョイントマット１６は、気泡を含むポリマー成形体からなる。基材ポリマーとしては、エチレン酢酸ビニル共重合体、ポリエチレン、ポリプロピレン、ポリ塩化ビニル、天然ゴム及び各種合成ゴムが例示される。２以上の基材ポリマーが併用されてもよい。成形容易の観点から、熱可塑性樹脂が好ましい。焼却処分されたときに有害物質が発生しないとの観点から、ポリオレフィン系樹脂（エチレン酢酸ビニル共重合体、ポリエチレン、ポリプロピレン等）が好ましく、形状復元力に優れるエチレン酢酸ビニル共重合体が特に好ましい。
【００４４】
このジョイントマット１６は気泡を含んでいるので、幼児や老人が転倒した場合でも衝撃が吸収される。気泡を含むジョイントマット１６は断熱性に優れるので、人に温もり感を与える。気泡は、独立気泡であってもよく、連続気泡であってもよい。形状復元力の観点から、独立気泡が好ましい。気泡は、通常は熱分解型発泡剤の発泡によって形成される。用いられる熱分解型発泡剤としては、アゾ化合物、ニトロソ化合物及びトリアゾール化合物が例示される。
【００４５】
このジョイントマット１６の発泡倍率（気泡が存在する場合の密度に対する気泡が存在しない場合の密度の比）は、１．５倍以上２０倍以下が好ましい。発泡倍率が１．５倍以上に設定されることにより、十分な衝撃吸収性が得られる。この観点から、発泡倍率は３倍以上が特に好ましい。発泡倍率が２０倍以下に設定されることにより、十分な強度が得られる。この観点から、発泡倍率は１０倍以下が特に好ましい。
【００４６】
防火の観点から、このジョイントマット１６に難燃剤が配合されるのが好ましい。難燃剤の具体例としては、金属水酸化物（水酸化マグネシウム、水酸化アルミニウム等）、ハロゲン化合物含有ポリマー等が挙げられる。このジョイントマット１６には、酸化ケイ素、タルク、クレー、硫酸バリウム、炭酸マグネシウム、炭酸カルシウム、ゴム粉、樹脂粉末等の充填剤が、必要に応じて適量配合される。このジョイントマット１６に、発泡助剤、劣化防止剤、紫外線吸収剤、軟化剤、加工助剤、架橋剤、増量剤、抗菌剤等が配合されてもよい。
【産業上の利用可能性】
【００４７】
本考案に係るジョイントマットは、種々の施設の床面に敷くことができる。
【図面の簡単な説明】
【００４８】
【図１】図１は、本考案の一実施形態に係るジョイントマットが示された平面図である。
【図２】図２は、図１のジョイントマットの使用状況の一例が示された平面図である。
【図３】図３は、図１のジョイントマットの裏面が示された背面図である。
【図４】図４は、従来のジョイントマットが示された平面図である。
【図５】図５は、図４のジョイントマットの使用状況の一例が示された平面図である。
【図６】図６は、図４のジョイントマットの裏面が示された背面図である。
【符号の説明】
【００４９】
２・・・ジョイントマット
４・・・本体
６・・・凸部
６ｘ・・・メイン凸部
６ｙ・・・コーナー凸部
８・・・凹部
８ｘ・・・メイン凹部
８ｙ・・・コーナー凹部
１０・・・縁
１２・・・辺
１４・・・角
１６、１６ｒ、１６ｓ、１６ｔ、１６ｕ・・ジョイントマット
１８・・・本体
２０・・・凸部
２０ｊ・・・メイン凸部
２０ｋ・・・コーナー凸部
２０ｋｍ・・・対称凸部
２０ｋｎ・・・非対称凸部
２２・・・凹部
２２ｊ・・・メイン凹部
２２ｋ・・・コーナー凹部
２２ｋｍ・・・対称凹部
２２ｋｎ・・・非対称凹部
２４・・・縁
２６、２６ｅ、２６ｆ、２６ｇ、２６ｈ・・・辺
２８、２８ａ、２８ｂ、２８ｃ、２８ｄ・・・角
３０・・・側面
３２・・・第一接触面
３４・・・第二接触面
３６・・・第三接触面
【図１】
0003137684.tif 000003
【図２】
0003137684.tif 000004
【図３】
0003137684.tif 000005
【図４】
0003137684.tif 000006
【図５】
0003137684.tif 000007
【図６】
0003137684.tif 000008